(57)【要約】【課題】便器の外周面を伝わって落ちる小水を十分に吸収することができ、小水による床面の汚損を防止することができる便所用マット及びその製造方法を提供する。【解決手段】床面に敷く便所用マットにおいて、マット本体１の周縁の一部にＵ字状の凹部１１を設け、凹部１１の周縁部にて立ち上がるように襟部２を設けており、襟部２を便器の下端部の外周面に当接させることにより、便器の外周面を伝わって落ちる小水を襟部２にて十分に吸収することができ、小水による床面の汚損を防止することができる。【選択図】図１
2009183361.tif 000002
【特許請求の範囲】
【請求項１】
床面に敷く便所用マットにおいて、周縁の一部にＵ字状の凹部を有するマット本体と、該マット本体の凹部の周縁部にて立ち上がるように設けられ、便器の下端部の外周面に当接させるべき襟部とを備えることを特徴とする便所用マット。
【請求項２】
前記襟部は、襟元が凸状に湾曲していることを特徴とする請求項１記載の便所用マット。
【請求項３】
前記襟部の襟元には、複数のスリットが設けてあることを特徴とする請求項２記載の便所用マット。
【請求項４】
床面に敷く便所用マットの製造方法において、生布を裁断して周縁の一部にＵ字状の凹部を有するマット本体を形成する工程と、前記マット本体の凹部に合わせて生布を裁断して、周縁の一部に凸状に湾曲された湾曲部を有する襟部を形成する工程と、前記マット本体の凹部に前記襟部を前記湾曲部にて結合する工程と、前記マット本体及び襟部の一面を起毛する工程とを含むことを特徴とする便所用マットの製造方法。
【発明の詳細な説明】
【技術分野】
【０００１】
本発明は、便所の床面に敷く便所用マット及びその製造方法に関する。
【背景技術】
【０００２】
近年、和式の便器に代えて洋式の便器が普及している。洋式の便器は、床面に固定される下端部から上端部の開口を縁取る上縁にかけてその内部空間が広くなるように形成された磁器製の便器本体と、該便器本体にその後部を枢支され、前部の上げ下げ操作により開閉される環状の便座とを備えている。このような洋式の便器が設置された便所においては、便器に対して前側位置の床面に便所用マットが敷かれることが多い。
【０００３】
ところで、この便器において、男性の小用は、前記便座を上げて便器本体の上縁に対面する立ち姿勢にてなされるが、このとき、小水の一部が便器本体の上縁に飛び散ることがあり、便器本体の上縁に飛び散った小水の一部は便器本体の外周面を伝わって床面へ流れ落ち、床面を汚すことになる。
【０００４】
前述した便所用マットは、便器に対して前側位置に敷かれているだけであるため、便器の外周面を伝わって落ちる小水は、そのまま床面へ流れ落ちて該床面を汚すことになる。このように小水で汚れた床面は、雑巾等を用いて拭いたり、床面に水を流して洗ったりすることにより清掃されるが、小水が床面を汚すつど床面を掃除することは困難を伴うため、掃除の回数を減らすことが要望されていた。そこで、便器の外周面に一部が当接するように形成された便所用マットが提案されている（例えば、特許文献１参照）。
【０００５】
特許文献１に開示された便所用マットは、周縁の一部に便器の外周面に沿わせるべき凹部を設け、該凹部の縁に複数のスリットを設け、該スリットにより切り出された舌片を立ち上がらせ、この立ち上がり舌片を便器の外周面に接着させるようにしてある。これにより、便器の外周面を伝わって落ちて舌片に到達した小水は、該舌片により吸収されることになる。
【特許文献１】特開２００１−２５８８０１号公報
【発明の開示】
【発明が解決しようとする課題】
【０００６】
ところが、特許文献１に開示された便所用マットにおいて、便器の外周面に接着される舌片の面積は周方向位置により異なっており、特にスリットが設けられた位置においては小さくなる。このため、スリットが設けられた位置に小水が便器の外周面を伝わって落ちたときに、小水を十分に吸収することができず、床面を汚すという虞があった。
【０００７】
本発明は斯かる事情に鑑みてなされたものであり、主たる目的は、マット本体の周縁の一部に設けた凹部の周縁部にて立ち上がるように襟部を設けて、該襟部を便器の下端部の外周面に当接させることにより、便器の外周面を伝わって落ちる小水を十分に吸収することができ、小水による床面の汚損を防止することができる便所用マットを提供することにある。
【０００８】
また他の目的は、襟元が凸状に湾曲するように襟部を形成することにより、襟部の襟先の側が便器の下端部の側に倒れやすくなり、襟部を便器の下端部の外周面に密接させて小水による床面の汚損をさらに防止することができ、また形状の異なる便器に対して適用することができる便所用マットを提供することにある。
【０００９】
また他の目的は、襟部の襟元に複数のスリットを設けることにより、マット本体に襟部を容易に結合することができる便所用マットを提供することにある。
【００１０】
また他の目的は、周縁の一部にＵ字状の凹部を有するマット本体と、該マット本体の凹部に合わせた湾曲部を有する襟部とを夫々形成したのちに結合させて便所用マットを製造することにより、寸法の異なる便所用マットを容易に製造することができる便所用マットの製造方法を提供することにある。
【課題を解決するための手段】
【００１１】
本発明に係る便所用マットは、床面に敷く便所用マットにおいて、周縁の一部にＵ字状の凹部を有するマット本体と、該マット本体の凹部の周縁部にて立ち上がるように設けられ、便器の下端部の外周面に当接させるべき襟部とを備えることを特徴とする。
【００１２】
この発明にあっては、マット本体の周縁の一部にＵ字状の凹部を設け、該凹部の周縁部にて立ち上がるように襟部を設けており、該襟部を便器の下端部の外周面に当接させることにより、便器の外周面を伝わって落ちる小水を襟部にて十分に吸収することができ、小水による床面の汚損を防止することができる。
【００１３】
本発明に係る便所用マットは、前記襟部は、襟元が凸状に湾曲していることを特徴とする。
【００１４】
この発明にあっては、襟元が凸状に湾曲するように襟部を形成しており、マット本体の凹部に合わせて適切に襟部の襟元を形成することにより、襟部の襟先の側がマット本体の凹部の内側、換言すると便器の下端部の側に倒れやすくなるから、襟部を便器の下端部の外周面に密接させることができ、小水による床面の汚損をさらに防止することができる。また、襟部が便器の下端部の側に倒れ込み、該下端部の形状に沿って変形するから、便所用マットを異なる形状の便器に適用することができる。
【００１５】
本発明に係る便所用マットは、前記襟部の襟元には、複数のスリットが設けてあることを特徴とする。
【００１６】
この発明にあっては、襟部の襟元に複数のスリットを設けており、該スリットをマット本体の凹部の形状に合わせて適切に形成することにより、マット本体に襟部を容易に結合することができる。
【００１７】
本発明に係る便所用マットの製造方法は、床面に敷く便所用マットの製造方法において、生布を裁断して周縁の一部にＵ字状の凹部を有するマット本体を形成する工程と、前記マット本体の凹部に合わせて生布を裁断して、周縁の一部に凸状に湾曲された湾曲部を有する襟部を形成する工程と、前記マット本体の凹部に前記襟部を前記湾曲部にて結合する工程と、前記マット本体及び襟部の一面を起毛する工程とを含むことを特徴とする。
【００１８】
この発明にあっては、周縁の一部にＵ字状の凹部を有するマット本体と、該マット本体の凹部に合わせた湾曲部を有する襟部とを夫々形成したのちに結合させて便所用マットを製造しており、便所又は便器の寸法に応じてマット本体及び／又は襟部を夫々形成することにより、小水による床面の汚損を防止することが可能な、寸法の異なる便所用マットを容易に製造することができる。
【発明の効果】
【００１９】
本発明によれば、便器の外周面を伝わって落ちる小水を便器の下端部の外周面に当接させた襟部にて十分に吸収することができ、小水による床面の汚損を防止することができる。
【００２０】
また、本発明によれば、襟部がマット本体の凹部の内側、便器の下端部の側に倒れやすくなるから、小水による床面の汚損をさらに防止することができる。また、襟部が便器の下端部の側に倒れ込み、該下端部の形状に沿って変形するから、便所用マットを異なる形状の便器に適用することができる。
【００２１】
また、本発明によれば、スリットをマット本体の凹部の形状に合わせて適切に形成することにより、マット本体に襟部を容易に結合することができる。
【００２２】
また、本発明によれば、便所又は便器の寸法に応じてマット本体及び／又は襟部を夫々形成することにより、小水による床面の汚損を防止することが可能な、寸法の異なる便所用マットを容易に製造することができる。
【発明を実施するための最良の形態】
【００２３】
以下、本発明をその実施の形態を示す図面に基づいて詳述する。図１は、本発明に係る便所用マットの外観斜視図であり、図２は、本発明に係る便所用マットの模式的平面図である。図３は、図２の III−III 矢視から見た模式的正面図であり、図４は、図２のIV−IV線による模式的部分断面図である。
【００２４】
図において１は、平面視矩形状を有するマット本体であり、マット本体１には、周縁の一部にＵ字状の凹部１１が設けてある。凹部１１の形状は、後述する便器の下端部の形状に応じて決定してある。
【００２５】
マット本体１の凹部１１には、該凹部１１の周縁部にて立ち上がるように、凹部１１の略全周に亘って襟部２が設けてある。襟部２は、襟元２１が凸状に湾曲するように形成してあり、襟元２１の曲率に応じて襟先２２の側が凹部１１の内側に向けて傾斜しつつ、ハイネック状にマット本体１に立設されることになる。この襟部２の立ち上がり部は、凹部１１の周縁部の少なくとも中央部分に亘っており、略半円筒形状を有している。
【００２６】
これらマット本体１及び襟部２は、不織布によって形成されている。不織布の加工は、ポリエステル等の第１の熱可塑性繊維に該熱可塑性繊維よりも低融点で溶融する第２の熱可塑性繊維が混入された繊維を互いにからませて集合してなる薄肉のシート状のウェブを形成し、このシートウェブを重ねて厚肉のラップウェブを成形し、このラップウェブをニードルパンチ加工によりフェルト状とすることによりなされる。また、マット本体１及び襟部２の裏面には、滑り止め加工が施してある。
【００２７】
図５は、本発明に係る便所用マットを便所の床面に敷いた状態の斜視図である。図中３は床面に固定される下端部から上端部の開口を縁取る上縁にかけてその内部空間が広くなるように形成された磁器製の便器本体である。該便器本体３には、前記開口に対応する孔をその中央に有するＯ形の便座４と、該便座４の外形に対応する卵形の平面形状をなす便器蓋５とが、夫々の後縁に沿う略平行な枢軸により回動自在に枢支されている。
【００２８】
このような洋式の便器において、本発明に係る便所用マットは、図５に示す如く、便器に対して前側位置の床面に、マット本体１の凹部１１の側が便器本体３の下端部に対向するように敷かれている。このとき、襟部２は、前述した如く、襟元２１が凸状に湾曲するように形成してあるから、襟先２２の側が凹部１１の内側、換言すると便器本体３の下端部の側に向けて傾斜する。このとき、襟部２が便器本体３の下端部の外周面の形状に沿って変形して、図４に示すように、襟部２の少なくとも襟先２２の側の部分が便器本体３の下端部の外周面に密接することになる。
【００２９】
このように、本発明に係る便所用マットにおいては、マット本体１の周縁の一部にＵ字状の凹部１１を設け、該凹部１１の周縁部にて立ち上がるように襟部２を設けており、該襟部２の少なくとも襟先２２の部分が便器本体３の下端部の外周面に当接するから、便器本体３の外周面を伝わって落ちる小水を襟部２にて十分に吸収することができ、小水による床面の汚損を防止することができる。
【００３０】
また、襟元２１が凸状に湾曲するように襟部２を形成しており、マット本体１の凹部１１に合わせて適切に襟部２の湾曲部２１の曲率を設定することにより、襟元２１の曲率に応じて襟先２２の側が凹部１１の内側に向けて傾斜して、襟部２がマット本体１の凹部１１の内側、便器本体３の下端部の側に倒れやすくなるから、襟部２の少なくとも襟先２２の部分を便器本体３の下端部の外周面に密接させることができ、小水による床面の汚損をさらに防止することができる。また、襟部２が便器本体３の下端部の側に倒れ込み、該下端部の形状に沿って変形するから、便所用マットを異なる形状の便器に適用することができる。
【００３１】
なお、便所用マットが小水により汚損した場合、便所用マットを洗濯機で丸洗いすることにより容易に清潔にすることができ、掃除の手間を軽減することができる。また、襟部２が便器本体３の下端部の外周面に密接しているから、ゴミ又は埃が入り難く、床面の汚損を防止することができる。
【００３２】
このような便所用マットは、以下の手順により製造される。まず、不織布の生布を便所に応じて予め決められた寸法に裁断してマット本体１を形成する。図６は、生布を裁断して形成されたマット本体１の模式的平面図である。マット本体１は、図に示す如く、周縁の一部にＵ字状の凹部１１を有する矩形状に形成してある。
【００３３】
次に、このマット本体１の凹部１１の寸法に合わせて不織布の生布を裁断して襟部２を形成する。図７は、生布を裁断して形成された襟部２の模式的平面図である。襟部２は、図に示す如く、長手方向の中央が突出するように緩やかに湾曲させた帯状の形状を有している。この湾曲部の縁部には、適長離隔してスリット２３，２３…が略全長に亘って設けてある。スリット２３，２３…の間の舌片２４，２４…は、図７の如く、その縁が面取りされてある。なお、不織布ではなく、ニット、レース等、他の素材を使用してもよい。
【００３４】
次に、襟部２を図中二点鎖線にて示す曲げ線２５に沿って折り曲げ、舌片２４，２４…をマット本体１に重なるようにして、マット本体１の凹部１１に沿って襟部２の凸状に湾曲する湾曲部の側にて縫製、接着又は溶着することにより、該湾曲部の側が襟元２１になるように襟部２がマット本体１に結合される。縫製の場合、ミシンは、千鳥ミシン、二本針ミシン、平本針ミシン、オーバーミシン等を用いる。
【００３５】
次に、テープ巻き、オーバーロック、レース等により便所用マットの周縁を処理する。さらに、マット本体１及び襟部２の表面に、マット用タフトミシンにより糸を植え付ける。また、マット本体１及び襟部２の表面に、適宜、刺繍、アップリケ、プリント等を施してもよい。
【００３６】
最後に、マット本体１及び襟部２の裏面に滑り止め加工を施す。滑り止め加工は、例えば、粘着性を有するアクリル酸エステル共重合体及び熱可塑性繊維とよく相溶するメチルメタアクリレートブタジエン共重合体のエマルジョンに充填材を配合してなる合成樹脂材料を用いて、接着性及び保形性を有する接着層をマット本体１及び襟部２の裏面に塗布形成することによりなされる。また、滑り止め加工として、裏面に糸を縫い込み、複数の凸部を設けてもよい。
【００３７】
以上のように、本発明に係る便所用マットにおいては、周縁の一部にＵ字状の凹部１１を有するマット本体１と該マット本体１の凹部１１に合わせた湾曲部を有する襟部２とを夫々形成したのちに結合させて便所用マットを製造しており、便所又は便器の寸法に応じてマット本体１及び／又は襟部２を夫々形成することにより、小水による床面の汚損を防止することが可能な、寸法の異なる便所用マットを容易に製造することができる。
【００３８】
また、襟部２の湾曲部の縁部、襟元２１の側に複数のスリット２３，２３…を設けて、スリット２３，２３…をマット本体１の凹部１１の形状に合わせて適長離隔して設けることにより、マット本体１への襟部２の結合が容易となる。
【００３９】
なお、本実施の形態においては、図４に示す如く、襟部２の舌片２４，２４…をマット本体１の下面に重ねて襟部２をマット本体１の下側から取付けているが、これに限定されず、襟部２の舌片２４，２４…をマット本体１の上面に重ねて襟部２をマット本体１の上側から取付けてもよい。また、本実施の形態においては、マット本体１と襟部２とを別体に形成して、結合することにより便所用マットを製造しているが、これに限定されず、立体成形によりマット本体及び襟部を一体的に形成してもよい。
【００４０】
また、本実施の形態において、洋式の大便器を例にして説明したが、小便器にも同様に適用可能である。
【００４１】
更に、本発明は、特許請求の範囲に記載した事項の範囲内において種々変更した形態にて実施することが可能であることは言うまでもない。
【図面の簡単な説明】
【００４２】
【図１】本発明に係る便所用マットの外観斜視図である。
【図２】本発明に係る便所用マットの模式的平面図である。
【図３】図２の III−III 矢視から見た模式的正面図である。
【図４】図２のIV−IV線による模式的部分断面図である。
【図５】本発明に係る便所用マットを便所の床面に敷いた状態の斜視図である。
【図６】生布を裁断して形成されたマット本体の模式的平面図である。
【図７】生布を裁断して形成された襟部の模式的平面図である。
【符号の説明】
【００４３】
１  マット本体
１１  凹部
２  襟部
２１  襟元
【図１】
2009183361.tif 000003
【図２】
2009183361.tif 000004
【図３】
2009183361.tif 000005
【図４】
2009183361.tif 000006
【図５】
2009183361.tif 000007
【図６】
2009183361.tif 000008
【図７】
2009183361.tif 000009